(57)【要約】【課題】異常検出回路を別途設けることなく、異常動作中の駆動電圧出力回路を正常な状態に復帰させることが可能な表示装置を提供する。【解決手段】この液晶テレビジョン１００（表示装置）は、映像が表示されるＬＣＤパネル２１と、ＬＣＤパネル２１を駆動するための駆動電圧を出力するＤＣ／ＤＣコンバータ２３とを備え、表示動作中にＤＣ／ＤＣコンバータ２３を定期的にリセットするように構成されている。【選択図】図２
2012226164.tif 000002
【特許請求の範囲】
【請求項１】
映像が表示される表示パネルと、
前記表示パネルを駆動するための駆動電圧を出力する駆動電圧出力回路とを備え、
表示動作中に前記駆動電圧出力回路を定期的にリセットするように構成されている、表示装置。
【請求項２】
前記駆動電圧出力回路は、外部から所定の大きさの電圧が入力され、かつ、第１レベルのイネーブル信号が入力された場合に、前記駆動電圧を出力するように構成されており、
前記駆動電圧出力回路に外部から前記所定の大きさの電圧が入力され、かつ、前記第１レベルのイネーブル信号が入力されている状態において、前記イネーブル信号を第１レベルから第２レベルに変化させた後、再び前記イネーブル信号を第１レベルに変化させるリセット動作を定期的に行うことにより、表示動作中に前記駆動電圧出力回路を定期的にリセットするように構成されている、請求項１に記載の表示装置。
【請求項３】
前記リセット動作の際に前記イネーブル信号が第２レベルになっている期間は、第１レベルになっている期間よりも短く、かつ、前記表示パネルに表示される映像に影響を与えない程度の長さに設定されている、請求項２に記載の表示装置。
【請求項４】
前記表示パネルの走査線を駆動するための複数の走査線駆動回路をさらに備え、
前記複数の走査線駆動回路の同期をとるための垂直同期信号に基づく信号を利用して前記リセット動作を定期的に行うことにより、表示動作中に前記駆動電圧出力回路を定期的にリセットするように構成されている、請求項２または３に記載の表示装置。
【請求項５】
前記垂直同期信号に基づく信号は、前記垂直同期信号と同期しており、かつ、前記垂直同期信号と略同じデューティ比を有する、請求項４に記載の表示装置。
【請求項６】
前記駆動電圧出力回路の出力側に設けられ、前記駆動電圧出力回路がリセットされることにより前記駆動電圧が低下するのを抑制するためのコンデンサをさらに備える、請求項１〜５のいずれか１項に記載の表示装置。
【発明の詳細な説明】
【技術分野】
【０００１】
この発明は、表示装置に関し、特に、表示パネルを駆動するための駆動電圧を出力する駆動電圧出力回路を備える表示装置に関する。
【背景技術】
【０００２】
従来、表示パネルを駆動するための駆動電圧を出力する駆動電圧出力回路を備える表示装置が知られている（たとえば、特許文献１参照）。
【０００３】
上記特許文献１には、表示パネルを駆動するための駆動電圧を出力するＤＣ／ＤＣコンバータ（駆動電圧出力回路）と、ＤＣ／ＤＣコンバータが正常に動作しているか否かを判定する動作判定回路とを備える液晶表示装置が開示されている。この液晶表示装置では、動作判定回路は、ＤＣ／ＤＣコンバータが正常に動作しているか否かを監視するとともに、ＤＣ／ＤＣコンバータの動作が異常になったと判定した場合に、異常動作中のＤＣ／ＤＣコンバータの再起動（リセット）を行うように構成されている。これにより、表示動作中にＤＣ／ＤＣコンバータの動作が異常になった場合に、異常動作中のＤＣ／ＤＣコンバータを正常な状態に復帰させることができる。
【先行技術文献】
【特許文献】
【０００４】
【特許文献１】特開２００３−１１４６６０号公報
【発明の概要】
【発明が解決しようとする課題】
【０００５】
しかしながら、上記特許文献１に開示された液晶表示装置では、異常動作中のＤＣ／ＤＣコンバータ（駆動電圧出力回路）を正常な状態に復帰させるために、ＤＣ／ＤＣコンバータが正常に動作しているか否かを監視する動作判定回路（異常検出回路）を別途設ける必要があるという問題点がある。
【０００６】
この発明は、上記のような課題を解決するためになされたものであり、この発明の１つの目的は、異常検出回路を別途設けることなく、異常動作中の駆動電圧出力回路を正常な状態に復帰させることが可能な表示装置を提供することである。
【課題を解決するための手段および発明の効果】
【０００７】
この発明の一の局面による表示装置は、映像が表示される表示パネルと、表示パネルを駆動するための駆動電圧を出力する駆動電圧出力回路とを備え、表示動作中に駆動電圧出力回路を定期的にリセットするように構成されている。
【０００８】
この発明の一の局面による表示装置では、上記のように、表示動作中に駆動電圧出力回路を定期的にリセットすることによって、表示動作中における駆動電圧出力回路の動作の正常異常に関わらず、駆動電圧出力回路が定期的にリセットされるので、表示動作中に駆動電圧出力回路の動作が異常になった場合に、駆動電圧出力回路が正常に動作しているか否かを監視する異常検出回路を別途設けることなく、異常動作中の駆動電圧出力回路を正常な状態に復帰させることができる。
【０００９】
上記一の局面による表示装置において、好ましくは、駆動電圧出力回路は、外部から所定の大きさの電圧が入力され、かつ、第１レベルのイネーブル信号が入力された場合に、駆動電圧を出力するように構成されており、駆動電圧出力回路に外部から所定の大きさの電圧が入力され、かつ、第１レベルのイネーブル信号が入力されている状態において、イネーブル信号を第１レベルから第２レベルに変化させた後、再びイネーブル信号を第１レベルに変化させるリセット動作を定期的に行うことにより、表示動作中に駆動電圧出力回路を定期的にリセットするように構成されている。このように構成すれば、イネーブル信号を第１レベルから第２レベルに変化させた後、再びイネーブル信号を第１レベルに変化させることにより、駆動電圧出力回路の定期的なリセット動作を容易に行うことができる。
【００１０】
この場合、好ましくは、リセット動作の際にイネーブル信号が第２レベルになっている期間は、第１レベルになっている期間よりも短く、かつ、表示パネルに表示される映像に影響を与えない程度の長さに設定されている。このようにイネーブル信号が第２レベルになっている期間の長さを短く設定すれば、表示パネルに表示されている映像に影響を与えることなく、表示動作中に駆動電圧出力回路をリセットすることができる。
【００１１】
上記リセット動作を定期的に行う表示装置において、好ましくは、表示パネルの走査線を駆動するための複数の走査線駆動回路をさらに備え、複数の走査線駆動回路の同期をとるための垂直同期信号に基づく信号を利用してリセット動作を定期的に行うことにより、表示動作中に駆動電圧出力回路を定期的にリセットするように構成されている。このように構成すれば、表示装置において一般的に用いられている垂直同期信号に基づいてリセット動作を行うことができるので、表示動作中に駆動電圧出力回路を容易にリセットすることができる。
【００１２】
この場合、好ましくは、垂直同期信号に基づく信号は、垂直同期信号と同期しており、かつ、垂直同期信号と略同じデューティ比を有する。このように構成すれば、垂直同期信号に基づく信号を垂直同期信号と同期するように構成しない場合、または、垂直同期信号に基づく信号を垂直同期信号と略同じデューティ比を有するように構成しない場合と異なり、垂直同期信号に基づく信号を垂直同期信号から容易に生成することができる。また、このように構成すれば、駆動電圧出力回路をリセットするタイミングと、垂直同期信号が変化するタイミング（表示パネルに表示される映像が切り替わるタイミング）とを略一致させることができるので、駆動電圧出力回路のリセットが表示パネルに表示されている映像に影響を与えるのを抑制することができる。
【００１３】
上記一の局面による表示装置において、好ましくは、駆動電圧出力回路の出力側に設けられ、駆動電圧出力回路がリセットされることにより駆動電圧が低下するのを抑制するためのコンデンサをさらに備える。このように構成すれば、コンデンサにより、駆動電圧出力回路のリセットに起因する駆動電圧の低下を抑制することができるので、駆動電圧が低下することに起因する表示パネルに表示される映像への悪影響（たとえば、表示パネルに表示されている映像が消えること）を効果的に抑制することができる。
【図面の簡単な説明】
【００１４】
【図１】本発明の第１および第２実施形態による液晶テレビジョンの全体構成を示した斜視図である。
【図２】本発明の第１実施形態による液晶テレビジョンの全体構成を示したブロック図である。
【図３】本発明の第１実施形態による液晶テレビジョンのＤＣ／ＤＣコンバータ周辺の回路図である。
【図４】本発明の第１実施形態による液晶テレビジョンの表示動作中におけるＤＣ／ＤＣコンバータの動作を説明するためのタイミングチャートである。
【図５】比較例による液晶テレビジョンの表示動作中におけるＤＣ／ＤＣコンバータの動作を説明するためのタイミングチャートである。
【図６】本発明の第２実施形態による液晶テレビジョンの全体構成を示したブロック図である。
【図７】本発明の第２実施形態による液晶テレビジョンのＤＣ／ＤＣコンバータ周辺の回路図である。
【図８】本発明の第２実施形態による液晶テレビジョンの表示動作中におけるＤＣ／ＤＣコンバータの動作を説明するためのタイミングチャートである。
【発明を実施するための形態】
【００１５】
以下、本発明の実施形態を図面に基づいて説明する。
【００１６】
（第１実施形態）
まず、図１〜図４を参照して、本発明の第１実施形態による液晶テレビジョン１００の構成について説明する。なお、液晶テレビジョン１００は、本発明の「表示装置」の一例である。
【００１７】
本発明の第１実施形態による液晶テレビジョン１００は、図１に示すように、映像が表示される表示部１０を備えている。また、液晶テレビジョン１００は、図２に示すように、ＬＣＤ（Ｌｉｑｕｉｄ  Ｃｒｙｓｔａｌ  Ｄｉｓｐｌａｙ）モジュール２０と、電源３０と、制御部４０とを備えている。
【００１８】
図２に示すように、ＬＣＤモジュール２０は、表示部１０を構成するＬＣＤパネル２１と、ＬＣＤパネル２１の走査線２１ａを駆動する複数のゲートドライバ２２ａと、ＬＣＤパネル２１のデータ線２１ｂを駆動する複数のソースドライバ２２ｂと、ＬＣＤパネル２１を駆動するための電圧（１３Ｖの駆動電圧）を出力可能なＤＣ／ＤＣコンバータ２３とを含んでいる。なお、ＬＣＤパネル２１は、本発明の「表示パネル」の一例である。また、ゲートドライバ２２ａは、本発明の「走査線駆動回路」の一例であるとともに、ＤＣ／ＤＣコンバータ２３は、本発明の「駆動電圧出力回路」の一例である。
【００１９】
複数のゲートドライバ２２ａは、制御部４０と、ＤＣ／ＤＣコンバータ２３とに接続されている。また、複数のゲートドライバ２２ａは、それぞれ、ＬＣＤパネル２１の複数の走査線２１ａに接続されている。これら複数のゲートドライバ２２ａは、制御部４０から入力される垂直同期信号（ＳＴＶ：Ｓｔａｒｔ  ｐｕｌｓｅ  ｖｅｒｔｉｃａｌ）に基づいて互いに同期しながら動作するように構成されている。
【００２０】
複数のソースドライバ２２ｂは、制御部４０と、ＤＣ／ＤＣコンバータ２３とに接続されている。また、複数のソースドライバ２２ｂは、それぞれ、ＬＣＤパネル２１の複数のデータ線２１ｂに接続されている。これら複数のソースドライバ２２ｂは、制御部４０から入力される水平同期信号（ＳＴＨ：Ｓｔａｒｔ  ｐｕｌｓｅ  ｈｏｒｉｚｏｎｔａｌ）に基づいて互いに同期しながら動作するように構成されている。
【００２１】
ＤＣ／ＤＣコンバータ２３は、電源３０と、制御部４０と、複数のゲートドライバ２２ａおよびソースドライバ２２ｂに接続されている。図３に示すように、ＤＣ／ＤＣコンバータ２３は、８個の端子２３ａ、２３ｂ、２３ｃ、２３ｄ、２３ｅ、２３ｆ、２３ｇおよび２３ｈを有している。端子２３ａには、他方電極が接地されたコンデンサＣ１の一方電極が接続されている。端子２３ｂ（イネーブル端子）には、イネーブル信号（ＤＣ＿ＥＮ）を伝達するための信号線５０ａが接続されている。この信号線５０ａには、他方電極が接地されたコンデンサＣ２の一方電極が接続されている。また、この信号線５０ａは、抵抗Ｒ１を介して接地されている。また、端子２３ｃは、抵抗Ｒ２を介してコンデンサＣ３の一方電極に接続されている。このコンデンサＣ３の他方電極は、接地されている。
【００２２】
端子２３ｄは、ＤＣ／ＤＣコンバータ２３から出力される１３Ｖまたは２．７Ｖの出力電圧を伝達するための出力線５０ｂに接続されている。この出力線５０ｂには、他方電極が接地されたコンデンサＣ４およびＣ５の一方電極が接続されている。これらのコンデンサＣ４およびＣ５は、ノイズ対策などのために設けられている。第１実施形態では、これらのコンデンサＣ４およびＣ５は、ＤＣ／ＤＣコンバータ２３がリセットされることにより駆動電圧が低下するのを抑制する機能を有している。
【００２３】
端子２３ｅには、コンデンサＣ６の一方電極が接続されている。このコンデンサＣ６の他方電極は、インダクタＬを介して出力線５０ｂに接続されている。また、端子２３ｆには、２１Ｖの入力電圧が入力される入力線５０ｃが接続されている。この入力線５０ｃには、他方電極が接地されたコンデンサＣ７およびＣ８の一方電極が接続されている。また、端子２３ｇは、インダクタＬを介して出力線５０ｂに接続されている。また、端子２３ｈは、接地されている。
【００２４】
第１実施形態では、ＤＣ／ＤＣコンバータ２３は、表示動作中（ＬＣＤパネル２１に映像が表示されている際）で、かつ、異常なく正常に動作している際（通常動作時）において、電源３０から２１Ｖの入力電圧が入力され、かつ、制御部４０からＨレベルのイネーブル信号（ＤＣ＿ＥＮ）が入力された場合に、１３Ｖの出力電圧（駆動電圧）を出力するように構成されている。また、ＤＣ／ＤＣコンバータ２３は、表示動作中においてたとえば静電気などの電気的な負荷がかかることにより誤動作した際（異常動作時）には、電源３０から２１Ｖの入力電圧が入力され、かつ、制御部４０からＨレベルのイネーブル信号（ＤＣ＿ＥＮ）が入力されている場合でも、通常動作時よりも小さい２．７Ｖの出力電圧しか出力しないように構成されている。
【００２５】
ここで、第１実施形態では、ＤＣ／ＤＣコンバータ２３は、表示動作中に定期的にリセットされるように構成されている。具体的には、図４の最上段に示すように、ＤＣ／ＤＣコンバータ２３に２１Ｖの入力電圧が入力され、かつ、Ｈレベルのイネーブル信号（ＤＣ＿ＥＮ）が入力されている状態において、イネーブル信号（ＤＣ＿ＥＮ）がＨレベルからＬレベルに変化された後、再びイネーブル信号（ＤＣ＿ＥＮ）がＨレベルに変化されるリセット動作が定期的に（周期τ１で）行われることにより、ＤＣ／ＤＣコンバータ２３が定期的にリセットされるように構成されている。
【００２６】
すなわち、第１実施形態では、図４の最上段に示すように、表示動作中のＤＣ／ＤＣコンバータ２３には、期間ｔ１だけ継続するＬレベルの信号と、期間ｔ２だけ継続するＨレベルの信号とが交互に切り替わる周期τ１のパルス状の波形を有するイネーブル信号（ＤＣ＿ＥＮ）が制御部４０から入力されるように構成されている。
【００２７】
なお、第１実施形態では、図４に示すように、上記リセット動作の際にイネーブル信号（ＤＣ＿ＥＮ）がＬレベルになっている期間ｔ１を、Ｈレベルになっている期間ｔ２よりも短くするのが好ましい。また、第１実施形態では、後述するように、期間ｔ１を、ＬＣＤパネル２１に表示される映像に影響を与えない程度の長さに設定するのが好ましい。たとえば、イネーブル信号（ＤＣ＿ＥＮ）がＬレベルになっている期間ｔ１を約２０．８μｓｅｃに設定するとともに、リセット動作の周期τ１（＝ｔ１＋ｔ２）を１／６０ｓｅｃに設定するのが好ましい。この場合、リセット動作の周期τ１に対するイネーブル信号（ＤＣ＿ＥＮ）がＨレベルになっている期間ｔ２の割合（デューティ比）は、約９９．８％になる。
【００２８】
次に、図４を参照して、本発明の第１実施形態による液晶テレビジョン１００の表示動作中におけるＤＣ／ＤＣコンバータ２３の動作について説明する。
【００２９】
まず、図５を参照して、比較例による液晶テレビジョンの表示動作中におけるＤＣ／ＤＣコンバータの動作について説明する。この比較例による液晶テレビジョンでは、上記第１実施形態による液晶テレビジョン１００と異なり、表示動作中のＤＣ／ＤＣコンバータには、常時Ｈレベルのイネーブル信号が制御部から入力されている。
【００３０】
比較例による液晶テレビジョンでは、図５（ａ）に示すように、表示動作中で、かつ、ＤＣ／ＤＣコンバータが異常なく正常に動作している際（通常動作時）において、ＤＣ／ＤＣコンバータに２１Ｖの入力電圧が入力され、かつ、Ｈレベルのイネーブル信号が入力された場合に、１３Ｖの出力電圧（駆動電圧）が出力される。この通常動作時においては、表示パネルに映像が問題なく表示される。
【００３１】
一方、比較例による液晶テレビジョンでは、表示動作中に静電気による電気的な負荷がかかった場合、ＤＣ／ＤＣコンバータが誤動作することによって表示パネルに表示されている映像が消える現象が発生する。具体的には、比較例による液晶テレビジョンでは、図５（ｂ）に示すように、表示動作中にＤＣ／ＤＣコンバータが誤動作した際（異常動作時）においては、ＤＣ／ＤＣコンバータに２１Ｖの入力電圧が入力され、かつ、Ｈレベルのイネーブル信号が入力されている場合でも、通常動作時よりも小さい２．７Ｖの出力電圧しか出力されなくなるため、表示パネルに表示されている映像が消える現象が発生する。
【００３２】
このように、比較例による液晶テレビジョンでは、図５（ａ）および（ｂ）に示すように、表示動作中にＤＣ／ＤＣコンバータがリセットされない（イネーブル信号が常時Ｈレベルである）ので、表示動作中に誤動作したＤＣ／ＤＣコンバータが正常な状態（１３Ｖの駆動電圧を出力可能な状態）に復帰することがない。
【００３３】
ここで、第１実施形態による液晶テレビジョン１００では、図４の最上段に示すように、表示動作中のＤＣ／ＤＣコンバータ２３には、期間ｔ１だけ継続するＬレベルの信号と、期間ｔ２だけ継続するＨレベルの信号とが交互に切り替わる周期τ１のパルス状のイネーブル信号（ＤＣ＿ＥＮ）が入力される。これにより、ＤＣ／ＤＣコンバータ２３に入力されるイネーブル信号（ＤＣ＿ＥＮ）がＨレベルからＬレベルに変化し、その後、再びＨレベルに変化する動作（リセット動作）が定期的に（周期τ１で）行われるので、ＤＣ／ＤＣコンバータ２３が定期的にリセットされる。その結果、表示動作中の液晶テレビジョン１００に静電気による電気的な負荷がかかることによってＤＣ／ＤＣコンバータ２３が誤動作した場合でも、その誤動作したＤＣ／ＤＣコンバータ２３がリセットされ、正常な状態（１３Ｖの出力電圧を出力する状態）に復帰するので、ＬＣＤパネル２１に表示されている映像が消える現象の発生が抑制される。
【００３４】
なお、上記のようにＤＣ／ＤＣコンバータ２３がリセットされる際では、イネーブル信号（ＤＣ＿ＥＮ）が一時的に（期間ｔ１だけ）Ｌレベルになることに起因して、ＤＣ／ＤＣコンバータ２３からの出力電圧（１３Ｖの駆動電圧）が一時的に低下してしまう場合がある。このような場合では、ＤＣ／ＤＣコンバータ２３の出力側に設けたコンデンサＣ４およびＣ５（図３参照）の容量を適切に設定すれば、イネーブル信号がＬレベルになる前のＨレベルであった期間ｔ２（図４参照）にコンデンサＣ４およびＣ５に蓄積された電力により、駆動電圧の低下が抑制することが可能である。すなわち、図４の最下段に示すように、ＤＣ／ＤＣコンバータ２３から出力される電圧を１３Ｖに保つことが可能である。また、リセット動作の際にイネーブル信号（ＤＣ＿ＥＮ）がＬレベルになっている期間ｔ１の長さを適切に設定すれば、イネーブル信号（ＤＣ＿ＥＮ）がＬレベルになることに起因する駆動電圧の低下がＬＣＤパネル２１に表示される映像に影響を与えないようにすることが可能である。
【００３５】
第１実施形態では、上記のように、表示動作中にＤＣ／ＤＣコンバータ２３を定期的にリセットすることによって、表示動作中におけるＤＣ／ＤＣコンバータ２３の動作の正常異常に関わらず、ＤＣ／ＤＣコンバータ２３が定期的にリセットされるので、表示動作中にＤＣ／ＤＣコンバータ２３の動作が異常になった場合に、ＤＣ／ＤＣコンバータ２３が正常に動作しているか否かを監視する異常検出回路を別途設けることなく、異常動作中のＤＣ／ＤＣコンバータ２３を正常な状態に復帰させることができる。
【００３６】
また、第１実施形態では、上記のように、ＤＣ／ＤＣコンバータ２３に外部から（ＬＣＤモジュール２０の外部の電源３０から）２１Ｖの電圧が入力され、かつ、Ｈレベルのイネーブル信号（ＤＣ＿ＥＮ）が入力されている状態において、イネーブル信号（ＤＣ＿ＥＮ）をＨレベルからＬレベルに変化させた後、再びイネーブル信号（ＤＣ＿ＥＮ）をＨレベルに変化させるリセット動作を定期的に行うことにより、表示動作中にＤＣ／ＤＣコンバータ２３を定期的にリセットするように構成する。これにより、イネーブル信号（ＤＣ＿ＥＮ）をＨレベルからＬレベルに変化させた後、再びイネーブル信号（ＤＣ＿ＥＮ）をＨレベルに変化させる変化させることによって、ＤＣ／ＤＣコンバータ２３の定期的なリセット動作を容易に行うことができる。
【００３７】
また、第１実施形態では、上記のように、リセット動作の際にイネーブル信号（ＤＣ＿ＥＮ）がＬレベルになっている期間ｔ１は、Ｈレベルになっている期間ｔ２よりも短く、かつ、ＬＣＤパネル２１に表示される映像に影響を与えない程度の長さに設定するのが好ましい。このようにイネーブル信号（ＤＣ＿ＥＮ）がＬレベルになっている期間ｔ１の長さを短く設定すれば、ＬＣＤパネル２１に表示されている映像に影響を与えることなく、表示動作中にＤＣ／ＤＣコンバータ２３をリセットすることができる。
【００３８】
また、第１実施形態では、上記のように、ＤＣ／ＤＣコンバータ２３の出力側に、ＤＣ／ＤＣコンバータ２３がリセットされることにより駆動電圧（１３Ｖの出力電圧）が低下するのを抑制するためのコンデンサＣ４およびＣ５を設ける。これにより、コンデンサＣ４およびＣ５によって、ＤＣ／ＤＣコンバータ２３のリセットに起因する駆動電圧の低下を抑制することができるので、駆動電圧が低下することに起因する表示パネル２１に表示される映像への悪影響（表示パネル２１に表示されている映像が消えること）を効果的に抑制することができる。
【００３９】
（第２実施形態）
次に、図１および図６〜図８を参照して、本発明の第２実施形態による液晶テレビジョン１００ａの構成について説明する。なお、液晶テレビジョン１００ａは、本発明の「表示装置」の一例である。この第２実施形態では、イネーブル信号（ＤＣ＿ＥＮ）のみを利用してＤＣ／ＤＣコンバータ２３を定期的にリセットする上記第１実施形態と異なり、イネーブル信号（ＤＣ＿ＥＮ）と垂直同期信号（ＳＴＶ）とを利用してＤＣ／ＤＣコンバータ２３を定期的にリセットする例について説明する。
【００４０】
本発明の第２実施形態による液晶テレビジョン１００ａ（図１参照）のＬＣＤモジュール２０ａでは、図６に示すように、ＤＣ／ＤＣコンバータ２３に接続されたイネーブル信号（ＤＣ＿ＥＮ）を伝達するための信号線５０ａに、垂直同期信号（ＳＴＶ）を伝達するための信号線５０ｄが接続されている。
【００４１】
具体的には、図７に示すように、垂直同期信号（ＳＴＶ）を伝達するための信号線５０ｄは、コレクタＣがイネーブル信号（ＤＣ＿ＥＮ）を伝達するための信号線５０ａに接続されたトランジスタＴのベースＢに抵抗Ｒ３を介して接続されている。なお、トランジスタＴのエミッタＥは、接地されている。また、信号線５０ｄは、抵抗Ｒ４を介して接地されている。
【００４２】
第２実施形態では、後述するように、垂直同期信号（ＳＴＶ）を利用したリセット動作が定期的に行われることにより、ＤＣ／ＤＣコンバータ２３が定期的にリセットされるように構成されている。ここで、垂直同期信号（ＳＴＶ）は、図８の最上段から２段目に示すように、期間ｔ３だけ継続するＨレベルの信号と、期間ｔ４だけ継続するＬレベルの信号とが交互に切り替わる周期τ２のパルス状の波形を有している。第２実施形態では、垂直同期信号（ＳＴＶ）のデューティ比（τ２に対するｔ３の割合）は、約０．０２％である。このような垂直同期信号（ＳＴＶ）は、液晶テレビジョン１００ａにおいて一般的に用いられている。
【００４３】
また、第２実施形態では、図８の最上段に示すように、制御部４０ａは、表示動作中のＤＣ／ＤＣコンバータ２３に常時Ｈレベルのイネーブル信号（ＤＣ＿ＥＮ）を送信するように構成されている。
【００４４】
なお、第２実施形態のその他の構成は、上記第１実施形態と同様である。
【００４５】
次に、図７および図８を参照して、本発明の第２実施形態による液晶テレビジョン１００ａの表示動作中におけるＤＣ／ＤＣコンバータ２３の動作について説明する。
【００４６】
第２実施形態による液晶テレビジョン１００ａでは、図８の最上段に示すように、制御部４０ａは、表示動作中のＤＣ／ＤＣコンバータ２３に常時Ｈレベルのイネーブル信号（ＤＣ＿ＥＮ）を送信する。ここで、第２実施形態では、図７および図８に示すように、表示動作中に垂直同期信号（ＳＴＶ）がＬレベルからＨレベルに変化すると、トランジスタＴがオン状態となり、その結果、端子２３ｂ（イネーブル端子）（図７参照）に入力される信号がＨレベルからＬレベルに変化する。また、端子２３ｂに入力される信号がLレベルに変化した時から期間ｔ３経過すると、垂直同期信号（ＳＴＶ）がＨレベルからＬレベルに変化し、その結果、端子２３ｂに入力される信号がＬレベルからＨレベルに変化する。また、端子２３ｂに入力される信号がHレベルに変化した時から期間ｔ４経過すると、垂直同期信号（ＳＴＶ）が再びＨレベルに変化し、その結果、端子２３ｂに入力される信号が再びＬレベルに変化する。
【００４７】
このように、第２実施形態では、図８の最上段から３段目に示すように、表示動作中のＤＣ／ＤＣコンバータ２３の端子２３ｂ（図７参照）には、期間ｔ３だけ継続するＬレベルの信号と、期間ｔ４だけ継続するＨレベルの信号とが交互に切り替わる周期τ２（＝ｔ３＋ｔ４）のパルス状の信号が入力される。この表示動作中のＤＣ／ＤＣコンバータ２３の端子２３ｂに入力される信号は、垂直同期信号（ＳＴＶ）を反転させた波形を有しており、そのデューティ比（τ２に対するｔ４の割合）は、約９９．８％である。
【００４８】
以上により、第２実施形態では、表示動作中のＤＣ／ＤＣコンバータ２３の端子２３ｂ（図７参照）に上記周期τ２のパルス状の信号（図８の最上段から３段目参照）が入力されることによって、ＤＣ／ＤＣコンバータ２３が定期的に（周期τ２で）リセットされる。その結果、表示動作中の液晶テレビジョン１００ａにたとえば静電気による電気的な負荷がかかることによってＤＣ／ＤＣコンバータ２３が誤動作した場合でも、その誤動作したＤＣ／ＤＣコンバータ２３がリセットされ、正常な状態（１３Ｖの出力電圧を出力する状態）に復帰するので、ＬＣＤパネル２１に表示されている映像が消える現象の発生が抑制される。
【００４９】
なお、第２実施形態では、ＤＣ／ＤＣコンバータ２３がリセットされる際では、図８の最下段に示すように、端子２３ｂに入力される信号（図８の最上段から３段目参照）が一時的に（期間ｔ３だけ）Ｌレベルになることに起因して、ＤＣ／ＤＣコンバータ２３からの出力電圧が一時的に１３Ｖから２．７Ｖまで低下してしまう。ここで、第２実施形態では、図８に示すように、出力電圧が低下するタイミングと、垂直同期信号（ＳＴＶ）がＨレベルになるタイミング（ＬＣＤパネル２１に表示される映像が切り替わるタイミング）とが略一致しているので、出力電圧の低下がＬＣＤパネル２１に表示されている映像に影響を与えるのを抑制することが可能である。
【００５０】
第２実施形態では、上記のように、複数のゲートドライバ２２ａの同期をとるための垂直同期信号（ＳＴＶ）を利用してリセット動作を定期的に行うことにより、表示動作中にＤＣ／ＤＣコンバータ２３を定期的にリセットするように構成されている。これにより、液晶テレビジョン１００ａにおいて一般的に用いられている垂直同期信号（ＳＴＶ）を利用してリセット動作を行うことができるので、表示動作中にＤＣ／ＤＣコンバータ２３を容易にリセットすることができる。
【００５１】
なお、第２実施形態のその他の効果は、上記第１実施形態と同様である。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記第１および第２実施形態では、本発明を表示装置としての液晶テレビジョンに適用する例を示したが、本発明はこれに限らない。本発明は、ＰＣ（Ｐｅｒｓｏｎａｌ  Ｃｏｍｐｕｔｅｒ）のモニタなどの他の表示装置にも適用可能である。
【００５４】
また、上記第１および第２実施形態では、Ｈレベルのイネーブル信号をＬレベルに変化させた後、再びイネーブル信号をＨレベルに変化させるリセット動作を定期的に行うことにより、表示動作中にＤＣ／ＤＣコンバータ（駆動電圧出力回路）を定期的にリセットする例を示したが、本発明はこれに限らない。本発明では、上記以外の手段により、表示動作中にＤＣ／ＤＣコンバータ（駆動電圧出力回路）を定期的にリセットしてもよい。
【００５５】
また、上記第１および第２実施形態では、本発明の第１レベルおよび第２レベルをそれぞれＨレベルおよびＬレベルとする例を示したが、本発明はこれに限らない。本発明では、第１レベルおよび第２レベルをそれぞれＬレベルおよびＨレベルとしてもよい。
【００５６】
また、上記第１および第２実施形態では、デューティ比が約９９．８％のパルス状の信号を用いてＤＣ／ＤＣコンバータ（駆動電圧出力回路）を定期的にリセットする例を示したが、本発明はこれに限らない。本発明では、ＤＣ／ＤＣコンバータ（駆動電圧出力回路）を定期的にリセットすることが可能であれば、９９．８％よりも大きいデューティ比を有する信号を用いてもよいし、９９．８％よりも小さいデューティ比を有する信号を用いてもよい。ただし、デューティ比を９９．８％よりも大きくする場合には、確実にリセット動作を行うことが可能なデューティ比に設定する必要がある。また、デューティ比を９９．８％よりも小さくする場合には、表示パネルに表示される映像に影響を与えない程度のデューティ比に設定する必要がある。
【００５７】
また、上記第１および第２実施形態では、ＤＣ／ＤＣコンバータ２３の出力側に設けられたノイズ対策などのためのコンデンサＣ４およびＣ５（図７参照）を、ＤＣ／ＤＣコンバータがリセットされることにより駆動電圧が低下するのを抑制するためのコンデンサとする例を示したが、本発明はこれに限らない。本発明では、ＤＣ／ＤＣコンバータ（駆動電圧出力回路）がリセットされることにより駆動電圧が低下するのを抑制する専用のコンデンサを、ノイズ対策などのためのコンデンサとは別個に設けてもよい。
【００５８】
また、上記第２実施形態では、図８の最上段から２段目に示すようなパルス状の波形を有する垂直同期信号（ＳＴＶ）を利用することにより、端子２３ｂ（イネーブル端子）（図７参照）に入力される信号を図８の最上段から３段目に示すようなパルス状の波形にする例を示したが、本発明はこれに限らない。本発明では、垂直同期信号（ＳＴＶ）に基づいて適当な手段により生成した垂直同期信号（ＳＴＶ）に基づく信号を利用することにより、端子２３ｂに入力される信号を上記パルス状の波形にしてもよい。
【００５９】
なお、この場合、垂直同期信号に基づく信号を、垂直同期信号と同期させ、かつ、垂直同期信号と略同じデューティ比を有するように構成するのが好ましい。なぜなら、このように構成すれば、垂直同期信号に基づく信号を垂直同期信号と同期するように構成しない場合、または、垂直同期信号に基づく信号を垂直同期信号と略同じデューティ比を有するように構成しない場合と異なり、垂直同期信号に基づく信号を垂直同期信号から容易に生成することができるからである。また、このように構成すれば、駆動電圧出力回路をリセットするタイミングと、垂直同期信号が変化するタイミング（表示パネルに表示される映像が切り替わるタイミング）とを略一致させることができるので、駆動電圧出力回路のリセットが表示パネルに表示されている映像に影響を与えるのを抑制することができるからである。
【００６０】
また、上記第２実施形態では、イネーブル信号（ＤＣ＿ＥＮ）を伝達するための信号線５０ａと、垂直同期信号（ＳＴＶ）を伝達するための信号線５０ｄとを、バイポーラトランジスタからなるトランジスタＴ（図７参照）を介して接続する例を示したが、本発明はこれに限らない。本発明では、イネーブル信号を伝達するための信号線と、垂直同期信号を伝達するための信号線とをバイポーラトランジスタ以外のたとえばＭＯＳトランジスタを介して接続してもよい。
【００６１】
また、上記第２実施形態では、端子２３ｂ（イネーブル端子）に入力される信号を図８の最上段から３段目に示すようなパルス状の波形にするために、オン状態となることによりＨレベルの端子２３ｂに入力される信号をＬレベルに変化させるとともに、オフ状態となることによりＬレベルの端子２３ｂに入力される信号をＨレベルに変化させるトランジスタＴ（図７参照）を設ける例を示したが、本発明はこれに限らない。本発明では、トランジスタを設ける以外の手段により、端子２３ｂに入力される信号を上記パルス状の波形にしてもよい。
【符号の説明】
【００６２】
２１  ＬＣＤパネル（表示パネル）
２３  ＤＣ／ＤＣコンバータ（駆動電圧出力回路）
１００、１００ａ  液晶テレビジョン（表示装置）
Ｃ４、Ｃ５  コンデンサ
ＤＣ＿ＥＮ  イネーブル信号
ＳＴＶ  垂直同期信号
【図１】
2012226164.tif 000003
【図２】
2012226164.tif 000004
【図３】
2012226164.tif 000005
【図４】
2012226164.tif 000006
【図５】
2012226164.tif 000007
【図６】
2012226164.tif 000008
【図７】
2012226164.tif 000009
【図８】
2012226164.tif 000010